(57)【要約】      （修正有）【課題】中和室とリビング・ダイニング室とが床方向に連続して設けられている集合住宅の部屋構造において、中和室にはプライバシー保持などの適度の個室感と使用の独立性を付与し、リビング・ダイニング室内においては家具の配置多様性を向上させる部屋構造を提供する。【解決手段】中和室５とリビング・ダイニング室４とが床方向に連続して設けられているマンションタイプの集合住宅の部屋構造において、中和室とリビング・ダイニング室との境界部の少なくとも一部に、立ち上がり壁６が形成され、立ち上がり壁の上部空間は、透光性若しくは半透光性の引違扉７により、開閉自在に仕切られている。【選択図】図３
0003198294.tif 000002
【実用新案登録請求の範囲】
【請求項１】
中和室とリビング・ダイニング室（又はリビング・ダイニング・キッチン室）とが床方向に連続して設けられているマンションタイプの集合住宅の部屋構造において、
前記中和室とリビング・ダイニング室（又はリビング・ダイニング・キッチン室）との境界部の少なくとも一部には、立ち上がり壁が形成され、該立ち上がり壁の上部空間は、透光性若しくは半透光性の引違扉により、開閉自在に仕切られていることを特徴とする集合住宅の部屋構造。
【請求項２】
前記立ち上がり壁の前記中和室側の壁面には、該壁面の水平方向に沿ってカウンター台が形成されていることを特徴とする請求項１に記載の集合住宅の部屋構造。
【請求項３】
前記中和室の床面を、フローリングによる床面としたことを特徴とする請求項１又は２に記載の集合住宅の部屋構造。
【考案の詳細な説明】
【技術分野】
【０００１】
本考案は、和室としての中和室と洋室としてのリビング・ダイニング室とが床方向に連続して設けられているマンションタイプの集合住宅の部屋構造に関する。
本考案に係る集合住宅の部屋構造が適応されるマンションは、高層マンションのみならず、エレベーターの無い２、３階建ての低層マンションにも適応される。
【背景技術】
【０００２】
下記特許文献１又は２に示されるように、３ＬＤＫ又は４ＬＤＫなどのマンション内の居住空間には、洋室としてのリビング・ダイニング室に連続して和室としての中和室が設けられているものがある。和室をリビング・ダイニング室に連続させて設け、更に開口部を広げることで、居室としての条件である採光をみたす目的がある。中和室は、居住空間に洋室とは異なる安らぎを与え、また、乳幼児用の室としても安全性などの上で有効である。
【０００３】
ところが、従来の上記中和室は、洋室としてのリビング・ダイニング室と床方向に略連続しており、中和室としての使用の独立性に問題がある。また、中和室とリビング・ダイニング室との境界部を襖などにより区画した場合には、中和室に不必要な孤立性が生じることになる。
【先行技術文献】
【特許文献】
【０００４】
【特許文献１】実用新案登録第３１７３３５０号公報
【特許文献２】特開２００６−９００９６号公報
【考案の概要】
【考案が解決しようとする課題】
【０００５】
本考案は、上記の点に鑑み、和室としての中和室と洋室としてのリビング・ダイニング室とが床方向に連続して設けられているマンションタイプの集合住宅の部屋構造において、中和室の使用性を向上させ、中和室にプライバシー保持などの適度の個室感と使用の独立性を付与し、さらに、中和室に連続するリビング・ダイニング室内における家具の配置多様性も向上させるようにしたことを目的としている。
【課題を解決するための手段】
【０００６】
前記目的を達成するための手段を、図の実施形態を参照して説明する。
【０００７】
本考案は、中和室５とリビング・ダイニング室４（又はリビング・ダイニング・キッチン室）とが床方向に連続して設けられているマンションタイプの集合住宅の部屋構造において、前記中和室５とリビング・ダイニング室４（又はリビング・ダイニング・キッチン室）との境界部の少なくとも一部には、立ち上がり壁６が形成され、該立ち上がり壁６の上部空間は、透光性若しくは半透光性の引違扉７により、開閉自在に仕切られていることを特徴とする集合住宅の部屋構造にある。
【０００８】
上記本考案の部屋構造では、中和室５とリビング・ダイニング室４の境界部が、立ち上がり壁６によって区画され、中和室５の個室感を高めている。また、中和室５を乳幼児用の室として用いた場合、乳幼児が中和室の外に這い出すことが防止され、安全性が向上する。さらに、立ち上がり壁６の上部空間は、透光性若しくは半透光性の引違扉７により、開閉自在に仕切られており、中和室５には、リビング・ダイニング室４からの光が引違扉７を通して常時透光されているところから、中和室５に不必要な孤立性がなく、また必要に応じて、中和室５に適度の開放性と独立性を付与している。
【０００９】
また、本考案では、前記立ち上がり壁６の前記中和室５側の壁面には、該壁面の水平方向に沿ってカウンター台８が形成されていることを特徴とする。
【００１０】
上記カウンター台８を設けるこにより、和室の個室感を高め、中和室５を書斎として用いることができる。カウンター台８を飾り棚とすることにより、中和室５にコンパクトな和空間を形成させることができる。
【００１１】
本考案では、前記中和室５の床面を、フローリングによる床面とすることができる。
【００１２】
中和室５の床面は、畳み敷きとすることが原則であるが、リフォームにより、施主の希望に応じて、フローリングによる床面とすることもできる。
【考案の効果】
【００１３】
本考案の部屋構造では、中和室とリビング・ダイニング室の境界部が、立ち上がり壁によって区画されているところから、中和室の和室としての個室感を高め、プライバシーなどの適度の保持機能と使用の独立性を付与している。また、中和室を乳幼児用の室として用いた場合、乳幼児が中和室の外に這い出すことが防止され、安全性が向上する。
【００１４】
さらに、立ち上がり壁の上部空間は、透光性若しくは半透光性の引違扉により、開閉自在に仕切られており、中和室には、リビング・ダイニング室からの外光が引違扉を通して常時透光されているところから、必要に応じて、中和室に適度の開放性と独立性を付与している。
【００１５】
本考案において、立ち上がり壁の中和室側の壁面にカウンター台を設けるこにより、和室の個室感を高め、中和室を書斎として用いることができる。カウンター台を飾り棚とすることにより、中和室にコンパクトな和空間を形成させることができる。
【００１６】
本考案では、中和室の床面は、畳み敷きとすることが原則であるが、リフォームにより、施主の希望に応じて、フローリングによる床面とすることもできる。
【図面の簡単な説明】
【００１７】
【図１】本考案にかかる集合住宅の部屋構造の第１実施形態の平面図である。
【図２】(A),(B) 同第１実施形態における家具の配置態様を示す要部の平面図である。
【図３】同第１実施形態の要部の斜視図である。
【図４】本考案にかかる集合住宅の部屋構造の第２実施形態の平面図である。
【考案を実施するための形態】
【００１８】
以下、本考案を適用した実施の形態例を図１〜図４を参照して説明する。
（第１実施形態）
図１、図２、図３は、本考案の第１実施形態を示すものである。
図１は、本考案の第１実施形態に係るマンションの一住戸１の部屋構造を示している。この部屋構造は、矩形の平面形状を有し、左右両外壁の間に、この実施例では、４ＬＤＫタイプの部屋割を有している。
【００１９】
この、一住戸１の部屋構造には、玄関２とバルコニー３を有し、バルコニー３に面してリビング・ダイニング室４を有している。リビング・ダイニング室４の内側の一側には、リビング・ダイニング室４と床方向に連続して中和室５が設けられている。中和室５は、矩形状の畳敷を原則とし、部屋構造内の中間部において、一方の壁面に沿って設けられている。
【００２０】
リビング・ダイニング室４と中和室５との境界部は、立ち上がり壁６によって仕切られている。立ち上がり壁６の上部空間は、透光性若しくは半透光性の引違扉７により、開閉自在に仕切られている。引違扉７は、明かり障子により形成されているが、ガラス扉により形成させるようにしても差し仕えない。
【００２１】
立ち上がり壁６は、成人が座った状態で、リビング・ダイニング室４内を見通せる、比較的低い（略７０cm程度）構造とされている。
【００２２】
立ち上がり壁６の中和室５側の壁面には、該壁面の水平方向に沿って略全通してカウンター台８が形成されている。
カウンター台８を設けるこにより、中和室５を書斎として用いることができ、和室の個室感を高めている。カウンター台８を飾り棚とすることにより、中和室５にコンパクトな和空間を形成させることができる。
【００２３】
その他、この実施例では、左右両外壁の中間部に、上記玄関２が設けられ、玄関２内の左右には、一側及び他側の洋室９，１０が設けられている。一側の洋室９に連続して、一住戸１の部屋構造の内部の中間部には、上記中和室５が設けられている。他側の洋室１０に連続して、中和室５と対向する一側には、トイレ１１、浴室１２、化粧室１３、キッチン室１４が設けられている。キッチン室１４と対面する中和室５の境界部は、襖１５により開閉自在とされている。中和室５は、リビング・ダイニング室４と連続する一側が上記立ち上がり壁６によって区画され、立ち上がり壁６とＬ形に連続しキッチン室１４と対面する境界部は、襖１５により開閉自在とされている。中和室５のＬ形に連続する他方の境界部は壁面に面している。
【００２４】
上記の部屋構造において、中和室５は、引違扉７及び襖１５を開閉することにより、和室としての適度の個室感と解放感が得られる。中和室５には、引違扉７及び襖１５を閉鎖した状態でも、リビング・ダイニング室４からの光が透明又は半透明の引違扉７を通して常時透光されている。
【００２５】
図２（Ａ），（Ｂ）は、リビング・ダイニング室４内の家具Ｋの配置態様を示している。  従来の中和室を有する部屋構造では、中和室とリビング・ダイニング室とが、平面方向に連続していることから、家具の配置に制約があった。しかしながら、本考案では、図２（Ａ）に示すように、リビング・ダイニング室４内において、立ち上がり壁６に沿ってソファなどの家具Ｋを配置できる。図２（Ｂ）に示すような、従来の家具の配置も可能である。
【００２６】
（第２実施形態）
図４は、本考案の第２実施形態を示すものである。
本考案では、中和室５の床面は、畳み敷きとすることが原則であるが、第２実施形態では、リフォームなどにより、施主の希望に応じて、フローリングによる洋風の床面としている。この場合、引違扉７も、中和室５の洋風仕様に合わせて、スリガラスによるガラス扉とすることができる。
【符号の説明】
【００２７】
１  一住戸
２  玄関
３  バルコニー
４  リビング・ダイニング室
５  中和室
６  立ち上がり壁
７  引違扉
８  カウンター台
９，１０  洋室
１１  トイレ
１２  浴室
１３  化粧室
１４  キッチン室
１５  襖
【図１】
0003198294.tif 000003
【図２】
0003198294.tif 000004
【図３】
0003198294.tif 000005
【図４】
0003198294.tif 000006